(57)【要約】【課題】本発明は、竿体をフック内側に挿入しやすく、かつフック外側にも抜去しやすくし、しかも、通常の使用状態ではフックが竿体から脱落しない脱落防止機能付き衣類用ハンガーを提供する。【解決手段】本発明の脱落防止機能付き衣類用ハンガー１は、フック３の先端に形状の重なる馬蹄形状の第１振り子アーム１１の先端部を枢支し、枢支部の上端縁に第１振り子アーム１１を押し上げるための隆起部１２を形成すると共に、フック３の基部４にフック３の切欠開口部５を開閉すべくフック３の馬蹄形状と対向する反馬蹄形状の第２振り子アーム２１の下部を枢支し、第２振り子アーム２１の先端部にフック３の切欠開口部５を開放方向に押し広げる突出部２２を設けたことを特徴としている。【選択図】  図１
2010187924.tif 000002
【特許請求の範囲】
【請求項１】
衣類を吊下げるハンガー本体の略上部中央にハンガー本体を竿体に吊下げるための馬蹄形状のフックを突設した衣類用ハンガーにおいて、
フックの先端に形状の重なる馬蹄形状の第１振り子アームの先端部を枢支し、枢支部の上端縁に第１振り子アームを押し上げるための隆起部を形成すると共に、フックの基部にフックの切欠開口部を開閉すべくフックの馬蹄形状と対向する反馬蹄形状の第２振り子アームの下部を枢支し、第２振り子アームの先端部にフックの切欠開口部を開放方向に押し広げる突出部を設けた
ことを特徴とする脱落防止機能付き衣類用ハンガー。
【請求項２】
第１振り子アームの基端と第２振り子アームの基端には互いに係合するための第１、第２凹凸部を形成した
ことを特徴とする請求項１に記載の脱落防止機能付き衣類用ハンガー。
【請求項３】
反馬蹄形状の第２振り子アームにおける内周縁部の底部には、竿体を押上げるための押上げ突起を形成した
ことを特徴とする請求項１又は請求項２に記載の脱落防止機能付き衣類用ハンガー。
【請求項４】
第１振り子アームの最下部と第２振り子アームの最下部にそれぞれ重錘を設けることにより重錘の復元作用により各振り子アームが枢支部を中心に搖動して環状体を形成すべく構成した
ことを特徴とする請求項１から請求項３のいずれか１項に記載の脱落防止機能付き衣類用ハンガー。
【発明の詳細な説明】
【技術分野】
【０００１】
本発明は、ハンガー竿体に衣類を掛けて吊るす際に用いる衣類用ハンガーに係り、詳しくは風や外力によってハンガー竿体から衣類用ハンガーが脱落するのを防止する脱落防止機能付き衣類用ハンガーに関する。
【背景技術】
【０００２】
従来、竿体からフック付きのハンガーが風等に揺られて落下しないように、脱落防止機能付きの衣類用ハンガーが多数考案されている。例えば、特許文献１に示すように、ハンガー本体の略中央に立設したフックの切欠開口部を一部閉塞する干渉体を復元自在に配設し、この干渉体が切欠開口部を一部閉塞している状態では竿体の抜け止めがなされるように構成している。
【０００３】
すなわち、フック内に竿体を挿入係合する場合は、干渉体が切欠開口部からフック内に傾倒して何ら支障とならず、フックを竿体から離脱する場合は、竿体と干渉しないように干渉体を内側へ傾倒して切欠開口部を開放状態として、竿体を切欠開口部から抜去するものである。フックを竿体に係合した状態では、干渉体が切欠開口部を一部閉塞して竿体が切欠開口部から抜去されるのを干渉し、フックの離脱を防止している。
【先行技術文献】
【特許文献】
【０００４】
【特許文献１】実用新案登録第３０８２７１５号公報
【発明の開示】
【発明が解決しようとする課題】
【０００５】
しかしながら、かかる従来の脱落防止機能付き衣類用ハンガーにおいては、竿体を切欠開口部からフック内側に挿入する場合は、干渉体の付勢による復元力を利用して一気に押込み挿入できるものの、フックを離脱する際の動作が煩雑であるため使用しづらい欠点があった。具体的には、フックの切欠開口部の干渉体は、フック内側方向には傾倒しやすいように付勢されているものの、反対方向、すなわち、切欠開口部を開放する方向には可及的に作動しないような一方向傾倒自在な構成としており、従って、竿体をフックから抜去するのが煩雑となる。仮に、干渉体が外側に傾倒して切欠開口部を容易に開口できるようにしたとすれば、風や衝撃で竿体がフックの切欠開口部から干渉体の障害に抗して容易に抜去されてしまうことになり、脱落防止の機能が果たせないおそれがある。
【０００６】
本発明は、竿体をフック内側に挿入しやすく、かつフック外側にも抜去しやすくし、しかも、通常の使用状態ではフックが竿体から脱落しない脱落防止機能付き衣類用ハンガーを提供することを目的とする。
【課題を解決するための手段】
【０００７】
上記目的を達成するため、請求項１に記載の発明は、衣類を吊下げるハンガー本体の略上部中央にハンガー本体を竿体に吊下げるための馬蹄形状のフックを突設した衣類用ハンガーにおいて、フックの先端に形状の重なる馬蹄形状の第１振り子アームの先端部を枢支し、枢支部の上端縁に第１振り子アームを押し上げるための隆起部を形成すると共に、フックの基部にフックの切欠開口部を開閉すべくフックの馬蹄形状と対向する反馬蹄形状の第２振り子アームの下部を枢支し、第２振り子アームの先端部にフックの切欠開口部を開放方向に押し広げる突出部を設けたことを特徴としている。
【０００８】
請求項２に記載の発明は、請求項１記載の脱落防止機能付き衣類用ハンガーにおいて、第１振り子アームの基端と第２振り子アームの基端には互いに係合するための第１、第２凹凸部を形成したことを特徴としている。
【０００９】
請求項３に記載の発明は、請求項１又は請求項２に記載の脱落防止機能付き衣類用ハンガーにおいて、反馬蹄形状の第２振り子アームにおける内周縁部の底部には、竿体を押上げるための押上げ突起を形成したことを特徴としている。
【００１０】
請求項４に記載の発明は、請求項１から請求項３のいずれか１項に記載の脱落防止機能付き衣類用ハンガーにおいて、第１振り子アームの最下部と第２振り子アームの最下部にそれぞれ重錘を設けることにより重錘の復元作用により各振り子アームが枢支部を中心に搖動して環状体を形成すべく構成したことを特徴としている。
【発明の効果】
【００１１】
本発明の請求項１に記載の脱落防止機能付き衣類用ハンガーによれば、フックの先端に形状の重なる馬蹄形状の第１振り子アームの先端部を枢支し、枢支部の上端縁に第１振り子アームを押し上げるための隆起部を形成すると共に、フックの基部にフックの切欠開口部を開閉すべくフックの馬蹄形状と対向する反馬蹄形状の第２振り子アームの下部を枢支し、第２振り子アームの先端部にフックの切欠開口部を開放方向に押し広げる突出部を設けたので、上方に位置する竿体に第１振り子アームの隆起部を当接させると第１振り子アームを押上げて、第２振り子アームの揺動を規制している第１振り子アームと第２振り子アームの基端同士の当接状態を解除し、さらに、竿体に第２振り子アームの突出部を当接させるとフックの切欠開口部を開放方向に押し広げ、竿体がその開口部分よりフックの内側へ挿入されるようになる。そして、第２振り子アームの揺動を規制するように第１振り子アームと第２振り子アームの基端同士を再当接することで第１振り子アームと第２振り子アームとがロック状態となり、一旦、フック内側に挿入した竿体からフックは脱落しない効果がある。
【００１２】
本発明の請求項２に記載の脱落防止機能付き衣類用ハンガーによれば、第１振り子アームの基端と第２振り子アームの基端には互いに係合するための第１、第２凹凸部を形成したので、竿体にハンガーを取り付けた際、第２振り子アームの揺動を規制するように第１、第２凹凸部同士を係合することで第１振り子アームと第２振り子アームとがロック状態となり、一旦、フック内側に挿入した竿体からフックは脱落しない効果がある。
【００１３】
本発明の請求項３に記載の脱落防止機能付き衣類用ハンガーによれば、反馬蹄形状の第２振り子アームにおける内周縁部の底部には、竿体を押上げるための押上げ突起を形成したので、フックを竿体から離脱する場合は、まず衣類用ハンガーを傾倒し、すなわち、第２振り子アームより第１振り子アームを下方位置となるようにし、竿体を押上げ突起に押し当てると第２振り子アームの先端部が第１振り子アームの先端端部に当接し、第２振り子アームが第１振り子アームを押上げることで、第２振り子アームの揺動を規制している第１、第２凹凸部同士の係合状態が解除され、さらに第２振り子アームを押し開くと切欠開口部が開放状態となり、片手で竿体をその開口部分よりフックの外側に取り外すことが可能となる効果がある。
【００１４】
本発明の請求項４に記載の脱落防止機能付き衣類用ハンガーによれば、上方に位置する竿体に第１振り子アームの隆起部を当接させると第１振り子アームを押上げて、第１、第２凹凸部同士のロック状態を解除し、さらに、竿体に第２振り子アームの突出部を当接させるとフックの切欠開口部を開放方向に押し広げ、竿体がその開口部分よりフックの内側へ挿入されるようになる。そして、第１振り子アームの最下部と第２振り子アームの最下部にそれぞれ設けた重錘の復元作用により、各振り子アームが枢支部を中心に搖動して第２振り子アームの揺動を規制している第１、第２凹凸部同士を再係合することで、第１振り子アームと第２振り子アームとからなる環状体を形成し、第１振り子アームと第２振り子アームとがロック状態とし、一旦、フック内側及び環状体に挿入した竿体からフックは脱落しない効果がある。
他方、フックを竿体から離脱する場合は、衣類用ハンガーを傾倒し、すなわち、第２振り子アームより第１振り子アームを下方位置となるようにし、第２振り子アームの揺動を規制していた第１、第２凹凸部同士の係合状態が解除され、さらに第２振り子アームを押し開くと切欠開口部が開放状態となり、片手で竿体をその開口部分よりフックの外側に取り外すことが可能となる効果がある。
【図面の簡単な説明】
【００１５】
【図１】本発明に係る実施形態の脱落防止機能付き衣類用ハンガーを示す斜視図である。
【図２】本発明に係る実施形態の脱落防止機能付き衣類用ハンガーを示す斜視図である。
【図３】本発明に係る実施形態の脱落防止機能付き衣類用ハンガーの取り付け形態を示す説明図である。
【図４】本発明に係る実施形態の脱落防止機能付き衣類用ハンガーの取り付け形態を示す説明図である。
【図５】本発明に係る実施形態の脱落防止機能付き衣類用ハンガーの取り付け形態を示す説明図である。
【図６】本発明に係る実施形態の脱落防止機能付き衣類用ハンガーの取り付け形態を示す説明図である。
【図７】本発明に係る実施形態の脱落防止機能付き衣類用ハンガーの取り外し形態を示す説明図である。
【図８】本発明に係る実施形態の脱落防止機能付き衣類用ハンガーの取り外し形態を示す説明図である。
【図９】本発明に係る実施形態の脱落防止機能付き衣類用ハンガーの取り外し形態を示す説明図である。
【図１０】本発明に係る実施形態の脱落防止機能付き衣類用ハンガーの取り外し形態を示す説明図である。
【発明を実施するための形態】
【００１６】
本発明に係る脱落防止機能付き衣類用ハンガーは、衣類を吊下げるハンガー本体の略上部中央にハンガー本体を竿体に吊下げるための馬蹄形状のフックを突設した衣類用ハンガーにおいて、フックの先端に形状の重なる馬蹄形状の第１振り子アームの先端部を枢支し、枢支部の上端縁に第１振り子アームを押し上げるための隆起部を形成すると共に、フックの基部にフックの切欠開口部を開閉すべくフックの馬蹄形状と対向する反馬蹄形状の第２振り子アームの下部を枢支し、第２振り子アームの先端部にフックの切欠開口部を開放方向に押し広げる突出部を設けている。
【００１７】
ハンガー本体は、フックに連設して鼓形状とした基部と、基部に連設して上着を掛けるべく緩やかに傾斜した左右肩部と、この両肩部に一体的に形成すると共にズボンを吊るす空間を備えた連結部とを有している。
【００１８】
この隆起部は、第１枢支部の上方位置から先端部まで馬蹄形状の第１振り子アームの幅より若干幅広に形成している。すなわち、第１振り子アームの先端端部は、鋭角な形状となるように形成している。
【００１９】
この突出部は、第１振り子アームの隆起部よりさらに上方へ延伸し、竿体の直径の大きさより短くなるように形成している。
【００２０】
さらに、第１振り子アームの基端と第２振り子アームの基端には互いに係合するための第１、第２凹凸部を形成しており、第１凹凸部は、第１振り子アームの内周側基端が突出するように階段状に形成しており、第２凹凸部は、第２振り子アームの内周側基端が凹むように逆階段状に形成している。
【００２１】
さらにまた、反馬蹄形状の第２振り子アームにおける内周縁部の底部には、竿体を押上げるための押上げ突起を形成している。
【００２２】
そして、第１振り子アームの最下部と第２振り子アームの最下部にそれぞれ重錘を設けることにより重錘の復元作用により各振り子アームが枢支部を中心に搖動して環状体を形成すべく構成している。
【００２３】
フックの先端及びフックの基部は、所定の厚みを持って形成し、また、フックの先端及及びフックの基部に枢支する第１振り子アーム及び第２振り子アームも所定の厚みを持って形成している。
【００２４】
竿体を挿通するフック内の係合空間は、竿体の直径より数ミリ程度大きい径に形成しており、すなわち、この係合空間は、竿体に第２振り子アームの押上げ突起が当接すると係合空間にほぼ間隙がなくなる大きさに形成している。
【００２５】
そして、かかる構成を備えた脱落防止機能付き衣類用ハンガーを竿体に取付ける際には、竿体を第１振り子アームの隆起部に当接させる。このとき第１振り子アームは、第１枢支部を中心に揺動することにより、第２振り子アームの揺動を規制している第１凹凸部と第２凹凸部の係合を解除し、したがって、第２振り子アームと第１振り子アームとのロック状態が解除されてフリーな状態となり、第１振り子アームは上方へ押し上げられる。
【００２６】
次いで、竿体を第２振り子アームの先端部の突出部に当接させ、この突出部をさらに押下げると第２枢支部を中心に第２振り子アームがフックの切欠開口部を開放方向に押し広げるように揺動し、切欠開口部が開放状態となり、竿体を第１振り子アームの先端部と第２振り子アームの先端部間のその開口部分よりフック内側の係合空間に挿入する。
【００２７】
次いで、係合空間に挿入された竿体が第２振り子アームの内周縁部に当接されると共に、第２振り子アームの第２重錘の復元作用により第２振り子アームが切欠開口部を閉じる方向に第２枢支部を中心に揺動して、第２振り子アーム２１の位置が移動し、切欠開口部が閉じられると、第２凹凸部と第１凹凸部同士を当接して環状体を形成し、第１振り子アームが第２振り子アームの揺動を規制することで両振り子アームをロック状態となす。なお、上述した係合空間に竿体が挿入された際、第１振り子アームは、第１重錘の復元作用により第１振り子アームが第１枢支部を中心に揺動して第１振り子アームの位置が移動し、第１凹凸部が第２凹凸部と係合する方向に移動して、環状体を形成することとなる。
【００２８】
このようにして上記衣類用ハンガーは、第２振り子アームが第２枢支部を中心に揺動することを規制するように第２凹凸部と第１凹凸部同士が係合することで、竿体に挿入されて再度ロック状態となり、竿体にハンガーを取り付けた状態となる。
【００２９】
そして、かかる構成を備えた脱落防止機能付き衣類用ハンガーを竿体から取り外す際には、まず、衣類用ハンガーを反時計方向に傾倒する。
【００３０】
竿体の周面に第２振り子アームの押上げ突起を押し当てると、第２振り子アームの先端部が第１振り子アームの先端端部に当接して、さらに押圧されることで第１振り子アームを第１枢支部を中心に揺動させて第１振り子アームを上方へ押上げ、第１凹凸部と第２凹凸部の係合を解除し、すなわち、第１振り子アームの位置がフックの湾曲部の外方へ移動することにより第１枢支部を中心に第１振り子アームが揺動することにより、第２振り子アームの揺動を規制している第１凹凸部と第２凹凸部の係合を解除し、したがって、第１振り子アームと第２振り子アームのロック状態を解除することとなる。
【００３１】
さらに、第２振り子アームは、切欠開口部を開放する方向に移動することで第２枢支部を中心に揺動すると共に衣類用ハンガーを下方へ引き抜くことで竿体が第２振り子アームを開放方向に押し広げて開口部分を形成する。すなわち、第２振り子アームが揺動する際、竿体の周面に第２振り子アームの押上げ突起を当接させて第２振り子アームを揺動することにより切欠開口部を形成し易くしている。そして、切欠開口部は開放状態となり、竿体を第１振り子アームの先端部と第２振り子アームの先端部間のその開口部分よりフックの外側に取り外す。このとき、第２振り子アームの縁部は過開放防止突起に当接して、第２振り子アームの過剰な開放を防止することとなる。
【００３２】
衣類用ハンガーを傾倒状態から水平状態に戻すと第１振り子アームと第２振り子アームは、第１重錘、第２重錘の復元作用によりそれぞれ元の位置に移動することにより、第１凹凸部と第２凹凸部が係合されて環状体を形成し、したがって、第１振り子アームが第２振り子アームの揺動を規制することで再度ロック状態となる。
【００３３】
このようにして上記衣類用ハンガーは、竿体から取り外した状態となる。
【００３４】
以下、本発明の脱落防止機能付き衣類用ハンガーを適用した実施例を図面に基づいて説明する。図１は本発明に係る実施形態の脱落防止機能付き衣類用ハンガーを示す斜視図、図２は本発明に係る実施形態の脱落防止機能付き衣類用ハンガーを示す斜視図である。
【００３５】
［実施例］
本発明に係る実施形態の衣類用ハンガー１は、図１及び図２に示すように、衣類を吊り下げるハンガー本体２の上部略中央に馬蹄形状のフック３を突設している。このフック３の先端には、形状の重なる馬蹄形状の第１振り子アーム１１の先端部を枢支し、第１振り子アーム１１の第１枢支部１５の上端縁には、竿体Ｍが当接することにより第１振り子アーム１１を押し上げるための隆起部１２を形成している。一方、フックの基部４には、フック３の切欠開口部５を開閉すべくフック３の馬蹄形状と対向する反馬蹄形状の第２振り子アーム２１の下部２１ｃを枢支し、第２振り子アーム２１の先端部には、竿体Ｍが当接することによりフック３の切欠開口部５を開放方向に押し広げるための突出部２２を設けている。
【００３６】
ハンガー本体２は、フック３に連設して鼓形状とした基部４と、この基部４に連設して上着を掛けるべく緩やかに傾斜した左右肩部２ａ，２ｂと、この両肩部２ａ，２ｂの下部に連設した連結部２ｃを有している。さらに連結部２ｃには、ズボン等を挟持して吊るすための左右挟持部２ｄ，２ｅを連設している。
【００３７】
この隆起部１２は、第１枢支部１５の上方位置から先端部まで馬蹄形状の第１振り子アーム１１の幅より若干幅広に形成している。すなわち、第１振り子アーム１１の先端端部１１ａは、鋭角な形状となるように形成している。
【００３８】
この突出部２２は、第１振り子アーム１１の隆起部１２よりさらに上方へ延伸し、竿体Ｍの直径の大きさより短くなるように形成している。
【００３９】
フック３の先端及及びフックの基部４は、第１枢支部１５及び第２枢支部２５を形成すべく所定の厚みに形成し、また、第１振り子アーム１１及び第２振り子アーム２１も所定の厚みに形成している。
【００４０】
第１振り子アーム１１の基端には、第１振り子アーム１１の内周側基端が突出するように階段状とした第１凹凸部１３を形成しており、第１凹凸部１３は、第２振り子アーム２１の基端に設けた第２振り子アーム２１の内周側基端が凹むように逆階段状とした第２凹凸部２３と互いに係合することにより第２振り子アームの揺動を規制するため竿体Ｍをフック３内の係合空間９にロックして脱落を防止する構成としている。
【００４１】
馬蹄形状の第１振り子アーム１１の最下部には、所定の重さの第１重錘１４を設けている。この第１重錘１４の作用により第１振り子アーム１１は、第１枢支部１５を中心にしてスムーズに揺動することが可能となる。
【００４２】
反馬蹄形状の第２振り子アーム２１の下部２１ｃは、下方にひょうたん状に膨出するように形成しており、この下部２１ｃの中途部には、ハンガー本体２に第２振り子アーム２１を枢支する第２枢支部２５を設け、さらに下部２１ｃの最下部には、第２重錘２４を設けている。この第２重錘２４の作用により第２振り子アーム２１は、第２枢支部２５を中心にしてフック３の切欠開口部５を開閉自在に揺動することが可能となる。
【００４３】
そして、第１振り子アーム１１と第２振り子アーム２１は、第１重錘１４と第２重錘２４の復元作用により各振り子アーム１１，２１が各枢支部１５，２５を中心に搖動して環状体１０を形成するようにしている。
【００４４】
第２振り子アーム２１における内周縁部２１ｄの底部には、竿体Ｍを押上げるための押上げ突起２６を形成している。
【００４５】
フック３の下方の外縁部には、第２振り子アーム２１が第２枢支部２５を中心に揺動する際に、揺動を規制する過開放防止突起６を設けている。過開放防止突起６は、切欠開口部５を開放状態とする際に第２振り子アーム２１の縁部２１ｂに当接して過剰な揺動を規制するようにしている。
【００４６】
衣類用ハンガー１を竿体Ｍに取付ける形態及び衣類用ハンガー１を竿体Ｍから取り外す形態については、以下に詳述する。
【００４７】
［取り付け形態］
本発明に係る実施形態の衣類用ハンガー１を竿体Ｍに取り付ける形態について説明する。図３から図６は本発明に係る実施形態の脱落防止機能付き衣類用ハンガーの取り付け形態を示す説明図である。
【００４８】
図３に示すように、ハンガー本体２をフック３を介して竿体Ｍに係合する場合は、竿体Ｍを第１振り子アーム１１の隆起部１２に当接させる。このとき第１振り子アーム１１は、第１枢支部１５を中心に揺動することにより、第２振り子アームの揺動を規制している第１凹凸部１３と第２凹凸部２３との係合が解除され、したがって、第１振り子アーム１１と第２振り子アーム２１とのロック状態が解除されてフリーな状態となり、第１振り子アーム１１は上方へ持ち上げられる。
【００４９】
次いで、図４に示すように、竿体Ｍを第２振り子アーム２１の先端部の突出部２２に当接させ、この突出部２２をさらに押下げると第２枢支部２５を中心に第２振り子アーム２１が切欠開口部５を開放方向に揺動し、切欠開口部５を押し広げた状態とし、竿体Ｍを第１振り子アーム１１の先端部と第２振り子アーム２１の先端部間のその開口部分Ｓよりフック３内側の係合空間９に挿入する。なお、図中において第１振り子アーム１１の揺動位置を破線で示したが、この第１振り子アーム１１をさらに小さく揺動させた場合でも第２振り子アーム２１との当接状態を十分に解除することができる。
【００５０】
次いで、図５に示すように、係合空間９に挿入された竿体Ｍが第２振り子アーム２１の内周縁部２１ｄに当接されると共に、第２振り子アーム２１の第２重錘２４の復元作用により第２振り子アーム２１の位置が移動することで、第２振り子アーム２１が切欠開口部５を閉じる方向に第２枢支部２５を中心に揺動して、切欠開口部５を閉じることで、第２振り子アームの揺動を規制するように第２凹凸部２３と第１凹凸部１３同士を係合して環状体１０を形成し、両振り子アーム１１，２１をロック状態となす。なお、上述した係合空間９に竿体Ｍが挿入された際、第１振り子アーム１１は、第１重錘１４による復元作用により、第１振り子アーム１１の位置が移動することで、第１枢支部１５を中心に揺動して、第１凹凸部１３が第２振り子アーム２１の第２凹凸部２３と係合する方向に移動することとなる。
【００５１】
このようにして上記衣類用ハンガー１は、竿体Ｍに挿入されて再度ロック状態となる（図６参照）。
【００５２】
かかる構成とすることにより、上方に位置する竿体Ｍに第１振り子アーム１１の先端部の隆起部１２を当接させると第２振り子アーム２１の揺動を規制している第１振り子アーム１１の第１凹凸部１３と第２振り子アーム２１の第２凹凸部２３同士の係合状態が解除され、さらに、竿体Ｍに第２振り子アーム２１の突出部２２を当接させると切欠開口部５を開放方向に押し広げ、竿体Ｍがその開口部分Ｓよりフック３内側の係合空間９へ挿入されるようになり、そして、第１重錘１４と第２重錘２４の復元作用により各振り子アーム１１，２１が枢支部１５，２５を中心に搖動して第２振り子アームの２１揺動を規制するように第１振り子アーム１１と第２振り子アーム２１の第１凹凸部１３と第２凹凸部２３同士を再係合することで環状体１０を形成し、第１振り子アーム１１と第２振り子アーム２１とが再度ロック状態となり、一旦、フック３内側に挿入した竿体Ｍからフック３は脱落しない効果がある。すなわち、衣類用ハンガー１の竿体Ｍへの取り付け作業を片手で容易に行うことができる。
【００５３】
［取り外し形態］
竿体Ｍに挿入されてロック状態の衣類用ハンガー１を解除して取り外す場合について説明する。図７から図１０は本発明に係る実施形態の脱落防止機能付き衣類用ハンガーの取り外し形態を示す説明図である。
【００５４】
まず、図７に示すように、衣類用ハンガー１を反時計方向に４５度傾倒して、すなわち、第２振り子アーム２１より第１振り子アーム１１を下方位置となるようにする。
【００５５】
そして、図８に示すように、竿体Ｍの周面に第２振り子アーム２１の押上げ突起２６を押し当てると、第２振り子アーム２１の先端部２１ａが第１振り子アーム１１の先端端部１１ａに当接することで第１振り子アーム１１を上方へ押上げ、第１凹凸部１３と第２振り子アーム２１の第２凹凸部２３との係合を解除し、すなわち、第１振り子アーム１１は、第１重錘１４の作用により位置がフック３の湾曲部７の外方へ移動することにより第１枢支部１５を中心に第１振り子アーム１１が揺動して第２振り子アーム２１の揺動を規制している第１凹凸部１３と第２凹凸部２３の係合を解除し、第１振り子アーム１１と第２振り子アーム２１のロック状態を解除することとなる。
【００５６】
さらに、図９に示すように、第２枢支部２５を中心に第２振り子アーム２１は、第２重錘２４の作用により位置が移動することで切欠開口部５を開放する方向に揺動すると共に衣類用ハンガー１を下方へ引くことで竿体Ｍが第２振り子アーム２１を開放方向に押し広げて開口部分Ｓを形成する。すなわち、第２振り子アーム２１が揺動する際、竿体Ｍの周面に第２振り子アーム２１の押上げ突起２６を当接させて第２振り子アーム２１を揺動することにより切欠開口部５を形成し易くしている。そして、切欠開口部５は開放状態となり、竿体Ｍをその開口部分Ｓよりフック３の外側に取り外す。このとき、第２振り子アーム２１の縁部２１ｂは過開放防止突起６に当接して、第２振り子アーム２１の過剰な開放を防止することとなる。
【００５７】
図１０に示すように、衣類用ハンガー１を傾倒状態から水平状態に戻すと第１振り子アーム１１と第２振り子アーム２１は、第１重錘１４，第２重錘２４の復元作用によりそれぞれ元の位置に移動することにより、第２振り子アーム２１の揺動を規制するように第１凹凸部１３と第２凹凸部２３が係合されて環状体１０を形成し、再度ロック状態となる。
【００５８】
かかる構成とすることにより、フック３を竿体Ｍから離脱する場合は、衣類用ハンガー１を傾倒し、すなわち、第２振り子アーム２１より第１振り子アーム１１を下方位置とし、竿体Ｍに第２振り子アーム２１の押上げ突起２６を押し当てると、すなわち、第１枢支部１５の位置より下方位置における第２振り子アーム２１の先端部２１ａが第１振り子アーム１１の先端端部１１ａに当接して第１振り子アーム１１を上方へ押上げることで、第２振り子アーム２１の揺動を規制している第１振り子アーム１１と第２振り子アーム２１の第１凹凸部１３と第２凹凸部２３同士の係合状態が解除され、続いて第２振り子アーム２１を押し開くと切欠開口部５が開放状態となり、片手で容易に竿体Ｍを第１振り子アーム１１の先端部と第２振り子アーム２１の先端部間のその開口部分Ｓよりフック３の外側に取り外すことが可能となる効果がある。そして、取り外した衣類用ハンガー１は、第１振り子アーム１１と第２振り子アーム２１のそれぞれ第１重錘１４、第２重錘２４の復元作用により各振り子アーム１１，２１が各枢支部１５，２５を中心に搖動して、環状体１０を再形成する効果がある。
【００５９】
なお、ハンガー本体２の形状については、特に本実施形態の形状に限定する必要はなく、例えば、連結部２ｃを除いた左右肩部２ａ，２ｂをフック基部４に連設したものでもよい。
【００６０】
なお、第１振り子アーム１１及び第２振り子アーム２１は、別体の第１重錘１４及び第２重錘２４を内蔵する構成としたが、第１振り子アーム１１及び第２振り子アーム２１自体に一体的に錘の機能を備える構成としてもよい。
【００６１】
なお、第１凹凸部１３及び第２凹凸部２３の形状は、係合状態となるように階段状、逆階段状に限定するものではなく、第２振り子アーム２１の揺動を規制することができるような形状であればよい、例えば、図３中の第１振り子アーム１１の第１凹凸部１３の形状を第１振り子アーム１１の内径から外径に向って右斜め形状となるように形成し、また、第２振り子アーム２１の第２凹凸部２３の形状を第２振り子アーム２１の内径から外径に向って右斜め形状となるように形成することで第１凹凸部１３と第２凹凸部２３とが当接状態となり第２振り子アーム２１の揺動を規制するようにしてもよい。
【符号の説明】
【００６２】
Ｍ  竿体
１  衣類用ハンガー
２  ハンガー本体
３  フック
４  フックの基部
５  切欠開口部
６  過開放防止突起
７  湾曲部
８  先端部
９  係合空間
１０  環状体
１１  第１振り子アーム
１２  隆起部
１３  第１凹凸部
１４  第１重錘
１５  第１枢支部
２１  第２振り子アーム
２２  突出部
２３  第２凹凸部
２４  第２重錘
２５  第２枢支部
２６  押上げ突起
【図１】
2010187924.tif 000003
【図２】
2010187924.tif 000004
【図３】
2010187924.tif 000005
【図４】
2010187924.tif 000006
【図５】
2010187924.tif 000007
【図６】
2010187924.tif 000008
【図７】
2010187924.tif 000009
【図８】
2010187924.tif 000010
【図９】
2010187924.tif 000011
【図１０】
2010187924.tif 000012